【手続補正書】
【提出日】平成27年11月18日(2015.11.18)
【手続補正１】
【補正対象書類名】特許請求の範囲
【補正対象項目名】全文
【補正方法】変更
【補正の内容】
【特許請求の範囲】
【請求項１】
光学式記録媒体にレーザ光を集光するレンズ等を備えた可動部と、この可動部を変位可能に支持する支持部と、前記レーザ光を発するレーザ装置、受光素子等を備えた集積光学素子部と、この集積光学素子部を光ディスク装置本体側に接続するフレキシブル配線板とを有し、前記支持部に樹脂製フレームを備える光ピックアップにおけるフレキシブル配線板の固定方法であって、
前記フレキシブル配線板は、複数の爪部及び壁部が形成された前記樹脂製フレームに巻き付けられ、前記爪部に掛けられるとともに前記壁部に位置決めされて固定されることを特徴とする光ピックアップにおけるフレキシブル配線板の固定方法。
【請求項２】
前記フレキシブル配線板は、前記樹脂製フレームの一方向に巻き付けられることを特徴とする請求項１に記載の光ピックアップにおけるフレキシブル配線板の固定方法。
【請求項３】
前記フレキシブル配線板は、前記樹脂製フレームに略一周巻かれ、この略一周した部分は、両縁部が一対の前記爪部で固定されることを特徴とする請求項１又は２に記載の光ピックアップにおけるフレキシブル配線板の固定方法。
【請求項４】
前記フレキシブル配線板は、その一端部から長手方向に突出する耳部が形成され、この耳部が前記爪部に掛けられることを特徴とする請求項１乃至３のいずれか一項に記載の光ピックアップにおけるフレキシブル配線板の固定方法。
【請求項５】
前記フレキシブル配線板は、その中間部の一側部に、前記集積光学素子部に接続される２本の分岐部を備え、これらの分岐部の近傍の他側部が前記爪部で固定され、前記一対の分岐部の間の前記一側部が前記爪部で固定されることを特徴とする請求項１乃至４のいずれか一項に記載の光ピックアップにおけるフレキシブル配線板の固定方法。
【請求項６】
光学式記録媒体にレーザ光を集光するレンズ等を備えた可動部と、この可動部を変位可能に支持する支持部と、前記レーザ光を発するレーザ装置、受光素子等を備えた集積光学素子部と、この集積光学素子部を光ディスク装置本体側に接続するフレキシブル配線板とを有し、前記支持部に樹脂製フレームを備える光ピックアップであって、
前記フレキシブル配線板は、複数の爪部及び壁部が形成された前記樹脂製フレームに巻き付けられ、前記爪部に掛けられるとともに前記壁部に位置決めされて固定されることを特徴とする光ピックアップ。
【請求項７】
前記フレキシブル配線板は、前記樹脂製フレームに略一周巻かれ、この略一周した部分は、両縁部が一対の前記爪部で固定されることを特徴とする請求項６に記載の光ピックアップ。
【請求項８】
前記フレキシブル配線板は、その一端部から長手方向に突出する耳部が形成され、この耳部が前記爪部に掛けられることを特徴とする請求項６又は７に記載の光ピックアップ。
【請求項９】
前記フレキシブル配線板の一側部に、前記集積光学素子部に接続される一対の分岐部を備え、これらの分岐部の近傍の他側部が他側部爪部で固定され、前記一対の分岐部の間の前記一側部が一側部中間爪部で固定されることを特徴とする請求項６乃至８のいずれか一項に記載の光ピックアップ。
【手続補正２】
【補正対象書類名】明細書
【補正対象項目名】発明の名称
【補正方法】変更
【補正の内容】
【発明の名称】光ピックアップにおけるフレキシブル配線板の固定方法及び光ピックアップ
【手続補正３】
【補正対象書類名】明細書
【補正対象項目名】０００１
【補正方法】変更
【補正の内容】
【０００１】
本発明は、樹脂製フレームの形状を利用した光ピックアップにおけるフレキシブル配線板の固定方法及び光ピックアップに関する。
【手続補正４】
【補正対象書類名】明細書
【補正対象項目名】０００４
【補正方法】変更
【補正の内容】
【０００４】
フレキシブル配線板をフレームに固定するために特別に板材等を設ける構造では、部品点数が多くなり、コスト及び組付工数が嵩む。
本発明は、上述した事情を鑑みてなされたものであり、フレキシブル配線板を特別な部品を追加することなしに簡易な構成で固定することが可能な光ピックアップにおけるフレキシブル配線板の固定方法及び光ピックアップを提供することを目的としている。
【手続補正５】
【補正対象書類名】明細書
【補正対象項目名】０００７
【補正方法】変更
【補正の内容】
【０００７】
また、上記構成において、前記フレキシブル配線板は、その一端部から長手方向に突出する耳部が形成され、この耳部が前記爪部に掛けられるようにしても良い。この構成によれば、フレキシブル配線板が、樹脂製フレームに一周巻かれた際に、フレキシブル配線板における一端部の耳部以外の部分と中間部とを干渉しないようにすることができる。
また、上記構成において、前記フレキシブル配線板は、その中間部の一側部に、前記集積光学素子部に接続される２本の分岐部を備え、これらの分岐部の近傍の他側部が前記爪部で固定され、前記一対の分岐部の間の前記一側部が前記爪部で固定されるようにしても良い。この構成によれば、分岐部の近傍の一側部における分岐部の両側も爪部で固定すると、集積光学素子部を樹脂製フレームに取付ける際にフレキシブル配線板の分岐部及びその周辺の動きが制限され、取付けにくくなるが、本発明では、分岐部の近傍の他側部と、分岐部の間の一側部を爪部で固定することで、集積光学素子部を取付けやすくすることができるとともにフレキシブル配線板を確実に固定することができる。
本発明の光ピックアップは、光学式記録媒体にレーザ光を集光するレンズ等を備えた可動部と、この可動部を変位可能に支持する支持部と、前記レーザ光を発するレーザ装置、受光素子等を備えた集積光学素子部と、この集積光学素子部を光ディスク装置本体側に接続するフレキシブル配線板とを有し、前記支持部に樹脂製フレームを備える光ピックアップであって、前記フレキシブル配線板は、複数の爪部及び壁部が形成された前記樹脂製フレームに巻き付けられ、前記爪部に掛けられるとともに前記壁部に位置決めされて固定されることを特徴とする。
この構成によれば、フレキシブル配線板を、樹脂製フレームに巻き付けるとともに樹脂製フレームの爪部及び壁部を利用して固定する構造であるため、別部材の板材、ビス、接着剤等を用いずに済み、部品点数及び組立工数を削減することができ、軽量化、コスト削減及び生産性向上を図ることができる。
上記構成において、前記フレキシブル配線板は、前記樹脂製フレームに略一周巻かれ、この略一周した部分は、両縁部が一対の前記爪部で固定された光ピックアップとしても良い。この構成によれば、フレキシブル配線板において、樹脂製フレームに略一周の最後に固定される部分は、両縁部が一対の前記爪部で固定されるため、フレキシブル配線板が動いたとしても樹脂製フレームから外れにくくすることができる。
また、上記構成において、前記フレキシブル配線板は、その一端部から長手方向に突出する耳部が形成され、この耳部が前記爪部に掛けられた光ピックアップとしても良い。この構成によれば、フレキシブル配線板が、樹脂製フレームに一周巻かれた際に、フレキシブル配線板における一端部の耳部以外の部分と中間部とを干渉しないようにすることができる。
また、上記構成において、前記フレキシブル配線板の一側部に、前記集積光学素子部に接続される一対の分岐部を備え、これらの分岐部の近傍の他側部が他側部爪部で固定され、前記一対の分岐部の間の前記一側部が一側部中間爪部で固定された光ピックアップとしても良い。この構成によれば、分岐部の近傍の一側部における分岐部の両側も爪部で固定すると、集積光学素子部を樹脂製フレームに取付ける際にフレキシブル配線板の分岐部及びその周辺の動きが制限され、取付けにくくなるが、本発明では、分岐部の近傍の他側部と、分岐部の間の一側部をそれぞれ他側部爪部、一側部爪部で固定することで、集積光学素子部を取付けやすくすることができるとともにフレキシブル配線板を確実に固定することができる。